(57)【要約】【課題】  通常仕様の段ボール箱の再使用を図ること。【解決手段】  段ボール箱１０であって、両外フラップ２２の封緘用粘着テープ３０が貼着される予定領域を含むフラップ先端部２２Ａの全長に渡る表面に貼着されるプラスチックフィルムテープからなるフラップ先端保護テープ３１と、左右両側壁１１の封緘用粘着テープ３０が貼着される予定領域を含む側壁の表面に貼着されるプラスチックフィルムテープからなる側壁保護テープ３２とを設けられてなるもの。【選択図】  図１
2010006400.tif 000002
【特許請求の範囲】
【請求項１】
左右側壁の上端に内フラップが連設され、
前後側壁の上端に外フラップが連設され、
両外フラップが閉じ状態で突き合う両外フラップのフラップ先端部に沿って、左右一方の側壁から左右他方の側壁までの範囲に、封緘用粘着テープが貼着される段ボール箱であって、
封緘用粘着テープが貼着される予定領域を含む両外フラップ先端部の全長に渡る表面にフラップ先端保護テープを、
左右両側壁の封緘用粘着テープが貼着される予定領域を含む側壁の表面に側壁保護テープとを、
各々貼着した段ボール箱。
【請求項２】
前記フラップ先端保護テープが、両外フラップのフラップ先端部の長手方向の両端側において、該フラップ先端部の裏面にまで折り返されて貼着されている請求項１に記載の段ボール箱。
【請求項３】
左右両側壁の前記封緘用粘着テープの端末部が貼着される予定領域を含む側壁の表面に、表面剥離容易性テープからなる封緘用粘着テープのためのテープ端末用下地テープを貼着した請求項１又は２に記載の段ボール箱。
【請求項４】
請求項１〜３のいずれかに記載の段ボール箱であって、
少なくとも２個前後方向に並置してそれら段ボール箱を１括りにするために、隣り合う段ボール箱の左右一方の側壁縁部から左右他方の側壁縁部までの範囲に、両段ボール箱が接する側の外フラップのフラップ基端部に沿ってダブルパッキングテープを貼着するために、
段ボール箱のダブルパッキングテープが貼着される予定領域を含むフラップ基端部の全長に渡る表面に貼着されるフラップ基端保護テープと、
段ボール箱のダブルパッキングテープが貼着される予定領域を含む側壁縁部の表面に貼着される側壁縁部保護テープとを設けた段ボール箱。
【請求項５】
左右の側壁縁部のダブルパッキングテープの端末部が貼着される予定領域を含む側壁縁部の表面に貼着される、表面剥離容易性テープからなる、ダブルパッキングテープのためのテープ端末用下地テープを設けた請求項４に記載の段ボール箱。
【請求項６】
前記封緘用粘着テープのためのテープ端末用下地テープと、前記ダブルパッキングテープのためのテープ端末用下地テープとが単一下地テープからなる請求項４又は５に記載の段ボール箱。
【発明の詳細な説明】
【技術分野】
【０００１】
本発明は段ボール箱に関する。
【背景技術】
【０００２】
段ボール箱として、左右側壁の上端に内フラップが連設され、前後側壁の上端に外フラップが連設され、左右一方の側壁から両外フラップが閉じ状態で突き合うそれら外フラップのフラップ先端部に沿って左右他方の側壁までの範囲に封緘用粘着テープが貼着されるものがある。
【０００３】
特許文献１に記載の段ボール箱では、段ボール箱の再使用等を図るため、段ボール箱の表面に封緘用粘着テープを剥がし易くする表面処理、例えば樹脂フィルムのラミネート処理を施すことにより、開封のために封緘用粘着テープを剥離するときに封緘用粘着テープとともに段ボール箱の表面が剥がれて損傷することを防止する。
【０００４】
また、特許文献１に記載の段ボール箱では、段ボール箱の外フラップの小口が露出しないように、その箇所を内側への折返し片により２重に形成している。封緘用粘着テープを左右いずれかの側壁から外フラップの側に剥離していくとき、封緘用粘着テープは折返し片の丸められた表面を剥がれていき、小口からその表ライナーが剥離されて中芯が露呈する如くがない。
【特許文献１】特開平7-315364
【発明の開示】
【発明が解決しようとする課題】
【０００５】
特許文献１に記載の段ボール箱では、段ボール箱の表面に樹脂フィルムのラミネート処理を施したり、外フラップに折返し片を設けるものであり、段ボール箱の構成が非常に特殊仕様になって箱単価が高くなる、段ボールと樹脂フィルムの分裂廃棄処理の困難を伴なう等の不都合がある。
【０００６】
しかしながら、今後は、材料資源の枯渇、材料価格の高騰等により、通常仕様の段ボール箱の再使用を図ることが必要とされる。
【０００７】
本発明の課題は、通常仕様の段ボール箱の再使用を図ることにある。また、段ボール箱の再使用の際には、段ボール箱の自動組立機械、自動封緘機械の改造も最小限で使用可能とすることにある。
【課題を解決するための手段】
【０００８】
請求項１の発明は、左右側壁の上端に内フラップが連設され、前後側壁の上端に外フラップが連設され、両外フラップが閉じ状態で突き合う両外フラップのフラップ先端部に沿って、左右一方の側壁から左右他方の側壁までの範囲に、封緘用粘着テープが貼着される段ボール箱であって、封緘用粘着テープが貼着される予定領域を含む両外フラップ先端部の全長に渡る表面にフラップ先端保護テープを、左右両側壁の封緘用粘着テープが貼着される予定領域を含む側壁の表面に側壁保護テープとを、各々貼着したものである。
【０００９】
請求項２の発明は、請求項１の発明において更に、前記フラップ先端保護テープが、両外フラップのフラップ先端部の長手方向の両端側において、該フラップ先端部の裏面にまで折り返されて貼着されているようにしたものである。
【００１０】
請求項３の発明は、請求項１又は２の発明において更に、左右両側壁の前記封緘用粘着テープの端末部が貼着される予定領域を含む側壁の表面に、表面剥離容易性テープからなる封緘用粘着テープのためのテープ端末用下地テープを貼着したものである。
【００１１】
請求項４の発明は、請求項１〜３のいずれかに記載の段ボール箱であって、少なくとも２個前後方向に並置してそれら段ボール箱を１括りにするために、隣り合う段ボール箱の左右一方の側壁縁部から左右他方の側壁縁部までの範囲に、両段ボール箱が接する側の外フラップのフラップ基端部に沿ってダブルパッキングテープを貼着するために、段ボール箱のダブルパッキングテープが貼着される予定領域を含むフラップ基端部の全長に渡る表面に貼着されるフラップ基端保護テープと、段ボール箱のダブルパッキングテープが貼着される予定領域を含む側壁縁部の表面に貼着される側壁縁部保護テープとを設けたものである。
【００１２】
請求項５の発明は、請求項４の発明において更に、左右の側壁縁部のダブルパッキングテープの端末部が貼着される予定領域を含む側壁縁部の表面に貼着される、表面剥離容易性テープからなる、ダブルパッキングテープのためのテープ端末用下地テープを設けたものである。
【００１３】
請求項６の発明は、請求項４又は５の発明において更に、前記封緘用粘着テープのためのテープ端末用下地テープと、前記ダブルパッキングテープのためのテープ端末用下地テープとが単一下地テープからなるようにしたものである。
【発明を実施するための最良の形態】
【００１４】
図１、図２は段ボール箱１０を示すものである。この段ボール箱１０は、通い箱として繰り返し使用されるものであるが、１回限りの使用であってもその使用中に保証書を入れる等の必要によって一時的に開封して使用されるものであっても良い。
【００１５】
段ボール箱１０は、Ａ式の段ボール箱であり、左右側壁及び前後側壁の上下端のそれぞれに外フラップ及び内フラップを連設し、それらの外フラップ及び内フラップにより蓋及び底を閉じるようにしたものである。以下、段ボール箱１０の蓋側の構成について説明し、底側の構成については蓋側と同様であるから説明省略する。但し、本発明の段ボール箱１０は、蓋についてだけ上述の外フラップ及び内フラップを有するＡ式とし、底については特殊な組立構造を採用するものでも良い。特殊な組立構造とは、例えば、Ｂ式、ジゴク底、地獄底、アメリカンロック等と呼ばれる差込式構造、また、底ワンタッチ箱等と呼ばれる、畳まれた段ボール箱を起立すると自動的に組み上がるもの等が挙げられる。
【００１６】
段ボール箱１０は、幅狭の左右側壁１１、１１の上端に左右の内フラップ２１、２１が連設され、幅広の前後側壁１２、１２の上端に前後の外フラップ２２、２２が連設され、左右一方の側壁１１から両外フラップ２２、２２が閉じ状態で突き合うそれら両外フラップ２２のフラップ先端部２２Ａに沿って左右一方の側壁１１から左右他方の側壁１１までの範囲に封緘用粘着テープ３０が貼着され、封止される。
【００１７】
封緘用粘着テープ３０としては、透明ＯＰＰ（延伸ポリプロピレン）粘着テープ、クラフト粘着テープ、又は布テープ等が好ましいが、その他市販の梱包テープを採用できる。
【００１８】
しかるに、段ボール箱１０は、両外フラップ２２、２２の封緘用粘着テープ３０が貼着される予定領域を含むフラップ先端部２２Ａの全長に渡る表面の範囲に貼着されるフラップ先端保護テープ３１を有する。
【００１９】
このとき、フラップ先端保護テープ３１は、図２に示す如く、両外フラップ２２、２２のフラップ先端部２２Ａの長手方向の両端側で、該フラップ先端部２２Ａの裏面にまで折り返されて貼着されることができる。
【００２０】
また、段ボール箱１０は、左右両側壁１１、１１の封緘用粘着テープ３０が貼着される予定領域を含む側壁１１の表面の範囲（封緘用粘着テープ３０の全幅より広い幅２ａ）に貼着される側壁保護テープ３２を有する。側壁保護テープ３２は側壁１１の表面から内フラップ２１の表面まで延在して貼着されても良い。
【００２１】
フラップ先端保護テープ３１、側壁保護テープ３２としては、プラスチックフィルムが好ましく、特にＯＰＰ（延伸ポリプロピレン）粘着テープが好ましい。さらに塩化ビニル樹脂、オレフィン系樹脂、フッソ系樹脂等の粘着テープとしても良い。また、表面に微小な凸部を有すプラスチック粘着テープで、封緘用粘着テープ３０を貼る際には充分な粘着性が発生し、しかも封緘用粘着テープ３０を剥がす際には容易に剥がすことができるものを使用することもできる。フラップ先端保護テープ３１、側壁保護テープ３２としては、フィルム材に粘着剤を塗布したものでも代用でき、フィルム材はＰＰ（ポリプロピレン）、ＰＥ（ポリエチレン）、ＮＹ（ナイロン）／ＰＥ等のプラスチックフィルム、共押しフィルム、発泡フィルム、再生フィルム、生分解フィルム、延伸・無延伸フィルム等、特に限定されない。更にこれらの材を複数ラミネートしたものでも良い。
【００２２】
フラップ先端保護テープ３１、側壁保護テープ３２としては、金属フィルムとしても良い。特に、アルミ粘着テープやステンレス粘着テープが好ましい。保護シート３１、３２としては、金属フィルム材に粘着材が塗布されたものでも代用でき、アルミ材、銅材、ステンレスなどの鉄系材等、特に限定されない。また、金属フィルムの表面にはプラスチックフィルムがラミネートされていても良い。
【００２３】
フラップ先端保護テープ３１、側壁保護テープ３２としては、紙製シートとしても良い。特に、ガムテープが好ましく、クラフト粘着テープでも良い。ここで言うガムテープとは、水溶性の糊材をクラフト紙に塗布し乾燥したテープであり、使用時は水分を供給して糊部を活性化して使用するものをいう。クラフト粘着テープの場合は、表面のシリコン処理が最小限度で、封緘用粘着テープ３０を貼った際に充分な粘着性が発生するものが良い。保護シート３１、３２としては、紙系材料に粘着材が塗布されたものでも代用できる。
【００２４】
フラップ先端保護テープ３１、側壁保護テープ３２としては、布製としても良い。特に布粘着テープが好ましい。布部の材質は、スフモス等の化繊、アクリル等のプラスチック、ガラスクロス等、特に限定されない。保護シート３１、３２としては、布製材料に粘着材が塗布されたものでも代用できる。
【００２５】
フラップ先端保護テープ３１、側壁保護テープ３２としては、ゴムシートとしても良い。特にゴム粘着テープが好ましい。ゴム部の材質は、ウレタンゴム、シリコーンゴム等、特に限定されない。保護シート３１、３２としては、ゴムシート材料に粘着材が塗布されたものでも代用できる。
【００２６】
ここでフラップ先端保護テープ３１、側壁保護テープ３２としては、適度な粘着力で貼れるものが好ましい。これは、上記保護テープの貼り替えが必要となった際に、上記保護テープの剥がし時、段ボール箱１０の表面の傷みを最小減とするため、またその労力の低減のためである。
【００２７】
図１、図２に示すように、封緘用粘着テープ３０の1/2幅xと、フラップ先端保護テープ３１の幅ａについての関係ａ＝αｘは、α＝1.0〜4.0が好ましく、1.1〜3.0がより好ましく、もっとも好ましくは、1.5〜2.5である。αの値が1より小さいと、封緘用粘着テープ３０が外フラップ２２と直接接触し、封緘用粘着テープ３０を剥がす際に外フラップ２２の表面を傷め易い。α＝1程度であっても、貼りずれが生じると、封緘用粘着テープ３０が外フラップ２２と直接接触することもある。αの値が大きすぎると、フラップ先端保護テープ３１の幅を大きくせねばならず無駄が生じる。
【００２８】
図１、図２に示すように、封緘用粘着テープ３０の幅2xと、側壁保護テープ３２の幅ｃについての関係ｃ＝γ・2xは、γ＝1.0〜4.0が好ましく、1.1〜3.0がより好ましく、もっとも好ましくは、1.5〜2.5である。γの値が1より小さいと、封緘用粘着テープ３０が側壁１１と直接接触し、封緘用粘着テープ３０を剥がす際に側壁１１の表面を傷め易い。γ＝1程度であっても、貼りずれが生じると、封緘用粘着テープ３０が側壁１１と直接接触することもある。γの値が大きすぎると、側壁保護テープ３２の幅を大きくせねばならず無駄が生じる。
【００２９】
また、段ボール箱１０は、左右両側壁１１、１１の封緘用粘着テープ３０の端末部３０Ａが貼着される予定領域を含む側壁１１の表面の範囲に貼着される表面剥離容易性テープからなる封緘用粘着テープ３０のためのテープ端末用下地テープ３３を有することができる。
【００３０】
テープ端末用下地テープ３３としては、シリコン含浸クラフト粘着テープ、シリコン含浸ガラスクロステープ、又はシリコンテープ等、シリコン等の剥離剤で表面の付着性を低減したテープを採用できる。また、表面に微小な凸部を有すプラスチック粘着テープで、表面の付着性を低減したテープを使用することもできる。
【００３１】
従って、段ボール箱１０にあっては、左右の外フラップ２２、２２を閉じ、封緘用粘着テープ３０の一端を左右一方の側壁１１の表面に貼着してあるテープ端末用下地テープ３３から側壁保護テープ３２に貼り始め、封緘用粘着テープ３０を両外フラップ２２、２２のフラップ先端部２２Ａの表面に貼着してあるフラップ先端保護テープ３１に貼り、封緘用粘着テープ３０の他端を左右他方の側壁１１の表面に貼着してある側壁保護テープ３２を通ってテープ端末用下地テープ３３にて貼り終え、段ボール箱１０を封止する。
【００３２】
図３、図４はダブルパッキングされた２個の段ボール箱１０を示すものであり、各段ボール箱１０が前述のフラップ先端保護テープ３１、側壁保護テープ３２、テープ端末用下地テープ３３を貼着され、封緘用粘着テープ３０により封止されているものである。
【００３３】
即ち、図５、図６は、段ボール箱１０を２個前後方向に並置し、それら段ボール箱１０、１０を１括りにするために、隣り合った段ボール箱１０、１０の左右一方の側壁１１の側壁縁部１１Ａ（左右の側壁１１における前後の側壁１２寄りの縁部）から、前後方向において互いに接する両段ボール箱１０、１０が、両段ボール箱１０における外フラップ２２のフラップ基端部２２Ｂ（外フラップ２２における前後の側壁１２寄りの基端部）に沿って、それら左右他方の側壁１１の側壁縁部１１Ａまでの表面の範囲にダブルパッキングテープ４０を貼着し、それら段ボール箱１０、１０を１括りにするものである。
【００３４】
前記処理を段ボール箱１０の上面部のみに行なうことで、ダンボール箱１０を折り畳まずに上面部のみを開閉する再利用が可能となる。このように使用する際は、段ボール箱１０の下面部は、封緘用テープやホットメルトによる封緘、また組み底構造等の既知の方法にて封止すれば良い。
【００３５】
また、前記処理を段ボール箱１０の上面部・下面部に行なえば、ダンボール箱１０を使用後に折り畳み、その後、再度組立てての再利用が可能となる。当然、ダンボール箱１０を使用後に折り畳まずに上面部のみを開閉する再利用も可能である。
【００３６】
また、前記処理を段ボール箱１０の上面部のみに行ない、段ボール箱１０の下面部については、封緘用テープ、ホットメルト等の封緘用接着剤を用いない組み底式の構造とすれば、ダンボール箱１０を使用後に折り畳み、その後、再度組立てての再利用が可能となる。
【００３７】
ダブルパッキングテープ４０としては、封緘用粘着テープ３０と同様にして、透明ＯＰＰ（延伸ポリプロピレン）粘着テープ、クラフト粘着テープ、又は布テープ等が好ましいが、その他市販の梱包テープを採用できる。
【００３８】
しかるに、段ボール箱１０は、ダブルパッキングテープ４０が貼着される予定領域を含むフラップ基端部２２Ｂの全長に渡る表面の範囲に貼着されるフラップ基端保護テープ４１を有する。
【００３９】
このとき、フラップ基端保護テープ４１は、図４に示す如く、両外フラップ２２、２２のフラップ基端部２２Ｂの長手方向の両端側で、該フラップ基端部２２Ｂの裏面にまで折り返されて貼着されることができる。
【００４０】
また、段ボール箱１０は、ダブルパッキングテープ４０が貼着される予定領域を含む側壁１１の側壁縁部１１Ａの表面の範囲に貼着される側壁縁部保護テープ４２を有する。側壁縁部保護テープ４２は側壁１１の側壁縁部１１Ａの表面から内フラップ２１の表面まで延在して貼着されても良い。
【００４１】
フラップ基端保護テープ４１、側壁縁部保護テープ４２としては、プラスチックフィルムが好ましく、特にＯＰＰ（延伸ポリプロピレン）粘着テープが好ましい。さらに塩化ビニル樹脂、オレフィン系樹脂、フッソ系樹脂等の粘着テープとしても良い。また、表面に微小な凸部を有すプラスチック粘着テープで、封緘用粘着テープ３０を貼る際には充分な粘着性が発生し、しかも封緘用粘着テープ３０を剥がす際には容易に剥がすことができるものを使用することもできる。フラップ基端保護テープ４１、側壁縁部保護テープ４２としては、フィルム材に粘着剤を塗布したものでも代用でき、フィルム材はＰＰ（ポリプロピレン）、ＰＥ（ポリエチレン）、ＮＹ（ナイロン）／ＰＥ等のプラスチックフィルム、共押しフィルム、発泡フィルム、再生フィルム、生分解フィルム、延伸・無延伸フィルム等、特に限定されない。更にこれらの材を複数ラミネートしたものでも良い。
【００４２】
フラップ基端保護テープ４１、側壁縁部保護テープ４２としては、金属フィルムとしても良い。特に、アルミ粘着テープやステンレス粘着テープが好ましい。保護シート３１、３２としては、金属フィルム材に粘着材が塗布されたものでも代用でき、アルミ材、銅材、ステンレスなどの鉄系材等、特に限定されない。また、金属フィルムの表面にはプラスチックフィルムがラミネートされていても良い。
【００４３】
フラップ基端保護テープ４１、側壁縁部保護テープ４２としては、紙製シートとしても良い。特に、ガムテープが好ましく、クラフト粘着テープでも良い。ここで言うガムテープとは、水溶性の糊材をクラフト紙に塗布し乾燥したテープであり、使用時は水分を供給して糊部を活性化して使用するものをいう。クラフト粘着テープの場合は、表面のシリコン処理が最小限度で、封緘用粘着テープ３０を貼った際に充分な粘着性が発生するものが良い。保護シート３１、３２としては、紙系材料に粘着材が塗布されたものでも代用できる。
【００４４】
フラップ基端保護テープ４１、側壁縁部保護テープ４２としては、布製としても良い。特に布粘着テープが好ましい。布部の材質は、スフモス等の化繊、アクリル等のプラスチック、ガラスクロス等、特に限定されない。保護シート３１、３２としては、布製材料に粘着材が塗布されたものでも代用できる。
【００４５】
フラップ基端保護テープ４１、側壁縁部保護テープ４２としては、ゴムシートとしても良い。特にゴム粘着テープが好ましい。ゴム部の材質は、ウレタンゴム、シリコーンゴム等、特に限定されない。保護シート３１、３２としては、ゴムシート材料に粘着材が塗布されたものでも代用できる。
【００４６】
ここでフラップ基端保護テープ４１、側壁縁部保護テープ４２としては、適度な粘着力で貼れるものが好ましい。これは、上記保護テープの貼り替えが必要となった際に、上記保護テープの剥がし時、段ボール箱１０の表面の傷みを最小減とするため、またその労力の低減のためである。
【００４７】
図３、図４に示すように、ダブルパッキングテープ４０の1/2幅ｙと、フラップ基端保護テープ４１の幅ｂ1、側壁縁部保護テープ４２の幅ｂ2についての関係ｂ1＝βｙ及び、ｂ2＝βｙは、β＝1.0〜4.0が好ましく、1.1〜3.0がより好ましく、最も好ましくは、1.5〜2.5である。βの値が1より小さいと、ダブルパッキングテープ４０が外フラップ２２や側壁１１と直接接触し、ダブルパッキングテープ４０を剥がす際に外フラップ２２や側壁１１の表面を傷め易い。β＝1程度であっても、貼りずれが生じると、ダブルパッキングテープ４０が外フラップ２２や側壁１１と直接接触することもある。βの値が大きすぎると、フラップ基端保護テープ４１の幅、側壁縁部保護テープ４２の幅を大きくせねばならず無駄が生じる。
【００４８】
また、段ボール箱１０は、左右の側壁１１の側壁縁部１１Ａのダブルパッキングテープ４０の端末部４０Ａが貼着される予定領域を含む側壁縁部１１Ａの表面の範囲に貼着される表面剥離容易性テープからなるダブルパッキングテープ４０のためのテープ端末用下地テープ４３を有することができる。テープ端末用下地テープ４３の貼着は、側壁縁部１１Ａで留めても良いが、前後の側壁１２まで伸ばしておくほうが、テープ端末用下地テープ４３自身の端部の剥がれ防止の点からより好ましい。
【００４９】
テープ端末用下地テープ４３としては、テープ端末用下地テープ３３と同様にして、シリコン含浸クラフト粘着テープ、シリコン含浸ガラスクロステープ、又はシリコンテープ等、シリコン等の剥離剤で表面の付着性を低減したテープを採用できる。また、表面に微小な凸部を有すプラスチック粘着テープで、表面の付着性を低減したテープを使用することもできる。
【００５０】
このとき、封緘用粘着テープ３０のためのテープ端末用下地テープ３３と、ダブルパッキングテープ４０のためのテープ端末用下地テープ４３とは、図５、図６に示す如く、長尺の単一下地テープからなるものとすることができる。前記長尺の単一下地テープの貼着は、側壁縁部１１Ａで留めても良いが、前後の側壁１２まで伸ばしておくほうが、前記長尺の単一下地テープ自身の端部の剥がれ防止の点からより好ましい。
【００５１】
尚、図３、図４、図５、図６の段ボール箱１０は、前後の側壁１２のそれぞれに沿う外フラップ２２のフラップ基端部２２Ｂ、及び側壁１１の側壁縁部１１Ａ沿いにフラップ基端保護テープ４１、側壁縁部保護テープ４２、テープ端末用下地テープ４３を設けたから、各段ボール箱１０の前後両面のいずれの側に対しても他の段ボール箱１０を隣接させてダブルパッキングテープ４０によりダブルパッキングできる。但し、段ボール箱１０は、前後一方の側壁１２だけに沿う外フラップ２２のフラップ基端部２２Ｂ、及び側壁１１の側壁縁部１１Ａ沿いにだけフラップ基端保護テープ４１、側壁縁部保護テープ４２、テープ端末用下地テープ４３を設け、各段ボール箱１０の前後一面側にだけ他の段ボール箱１０を隣接させてダブルパッキングテープ４０によりダブルパッキングできるものとしても良い。
【００５２】
本実施例によれば以下の作用効果を奏する。
（請求項１）
(a)段ボール箱１０の両外フラップ２２、２２と左右両側壁１１、１１の表面にフラップ先端保護テープ３１と側壁保護テープ３２を貼着し、封緘用粘着テープ３０をそれらのフラップ先端保護テープ３１と側壁保護テープ３２に貼着した。開封のために封緘用粘着テープ３０を剥がすときに、封緘用粘着テープ３０はそれらフラップ先端保護テープ３１と側壁保護テープ３２から剥離され、段ボール箱１０の表面を剥がす等がなく、段ボール箱１０の表面に損傷を与えることがなく、段ボール箱１０を再使用できる。
【００５３】
（請求項２）
(b)フラップ先端保護テープ３１が、両外フラップ２２、２２のフラップ先端部２２Ａの長手方向の両端側で、該フラップ先端部２２Ａの裏面にまで折り返されて貼着されることにより、それら外フラップ２２のフラップ先端部２２Ａの小口が露出されない。封緘用粘着テープ３０を側壁保護テープ３２からフラップ先端保護テープ３１の側に剥離していくとき、封緘用粘着テープ３０はフラップ先端保護テープ３１の折返し部の表面を剥がれていき、段ボールの小口からその表ライナーが剥離されて中芯が露呈する如くがなく、段ボール箱１０を再使用できる。
【００５４】
（請求項３）
(c)段ボール箱１０の左右の側壁１１の表面に表面剥離容易性テープからなるテープ端末用下地テープ３３を貼着し、封緘用粘着テープ３０の端末部３０Ａをテープ端末用下地テープ３３に貼着した。開封のために封緘用粘着テープ３０を剥がすときに、封緘用粘着テープ３０の端末部３０Ａが容易に剥がれ、封緘用粘着テープ３０の剥離作業性を向上できる。
【００５５】
（請求項４）
(d)段ボール箱１０の両外フラップ２２、２２と左右両側壁１１、１１の表面にフラップ基端保護テープ４１と側壁縁部保護テープ４２を貼着し、ダブルパッキングテープ４０を相隣る段ボール箱１０、１０のフラップ基端保護テープ４１と側壁縁部保護テープ４２に貼着した。相隣る段ボール箱１０、１０の分離のためにダブルパッキングテープ４０を剥がすときに、ダブルパッキングテープ４０はそれらのフラップ基端保護テープ４１と側壁縁部保護テープ４２から剥離され、段ボール箱１０の表面を剥がす等がなく、段ボール箱１０の表面に損傷を与えることがなく、段ボール箱１０を再使用できる。
【００５６】
（請求項５）
(e)段ボール箱１０の左右の側壁１１の側壁縁部１１Ａの表面に表面剥離容易性テープからなるテープ端末用下地テープ４３を貼着し、ダブルパッキングテープ４０の端末部４０Ａをテープ端末用下地テープ４３に貼着した。相隣る段ボール箱１０、１０の分離のためにダブルパッキングテープ４０を剥がすときに、ダブルパッキングテープ４０の端末部４０Ａが容易に剥がれ、ダブルパッキングテープ４０の剥離作業性を向上できる。
【００５７】
（請求項６）
(f)前述(c)の封緘用粘着テープ３０のためのテープ端末用下地テープ３３と、前述(e)のダブルパッキングテープ４０のためのテープ端末用下地テープ４３とが単一下地テープからなるものにした。段ボール箱１０へのそれら２種のテープ端末用下地テープ３３、４３の貼着作業性が向上できる。
【００５８】
（請求項1〜６）
(g)フラップ先端保護テープ３１、側壁保護テープ３２、封緘用粘着テープ３０のためのテープ端末用下地テープ３３、フラップ基端保護テープ４１、側壁縁部保護テープ４２、ダブルパッキングテープ４０のためのテープ端末用下地テープ４３を設けることにより、段ボール箱１０自体の強度変化を生じないから、この段ボール箱１０に物品を梱包する梱包装置の改造を殆ど必要としない。
【００５９】
(h)上述(g)の各テープを設けることによる箱単価の上昇は殆どなく、小売店等の流通末端で廃棄しても経済的損失は小さい。
【００６０】
(i)段ボール箱１０の廃棄時には上述(g)の各テープを剥がすだけでゴミ分別が容易であり、段ボールは再生紙として再利用できる。
【図面の簡単な説明】
【００６１】
【図１】図１は段ボール箱の封緘状態を示す模式図である。
【図２】図２は図１の段ボール箱を示す模式図である。
【図３】図３は２個の段ボール箱のダブルパッキング状態を示す模式図である。
【図４】図４は図３の段ボール箱を示す模式図である。
【図５】図５は２個の段ボール箱のダブルパッキング状態の他の例を示す模式図である。
【図６】図６は図５の段ボール箱を示す模式図である。
【符号の説明】
【００６２】
１０  段ボール箱
１１  左右側壁
１２  前後側壁
２１  内フラップ
２２  外フラップ
３０  封緘用粘着テープ
３０Ａ  端末部
３１  フラップ先端保護テープ
３２  側壁保護テープ
３３  テープ端末用下地テープ
４０  ダブルパッキングテープ
４０Ａ  端末部
４１  フラップ基端保護テープ
４２  側壁縁部保護テープ
４３  スペース端末用下地テープ
【図１】
2010006400.tif 000003
【図２】
2010006400.tif 000004
【図３】
2010006400.tif 000005
【図４】
2010006400.tif 000006
【図５】
2010006400.tif 000007
【図６】
2010006400.tif 000008